(57)【要約】      （修正有）【課題】案内滑車により引き回される索の、所定位置が案内滑車に引き寄せられ接近すると、案内滑車から索が自動的に外れる、案内滑車を提供する。【解決手段】滑車本体４と、滑車本体を一対の支持軸６a、６ｂにより支持する滑車支持体４c、４dと、索Ｗに取り付けた当接部材１０と、索の引き寄せに応じ当接部材と当接し移動し一対の支持軸の一方を滑車軸支持体から抜き出す支持軸解除体を備え、索の所定位置を規定する当接部材が案内滑車２に引き寄せられ支持軸解除体１２に当接すると、一方の支持軸が滑車軸支持体から抜き出され他方の支持軸により滑車本体が滑車支持体に対し揺動自在になり、案内滑車から索が自動的に外される。【選択図】図１
2007031126.tif 000002
【特許請求の範囲】
【請求項１】
索の運行を案内する滑車であって、
回転滑車を支持する滑車軸の両端部それぞれに滑車軸支持体を取り付けた滑車本体と、
この滑車本体を、平行に延びる一対の支持軸それぞれを滑車軸支持体各々とともに挿脱自在に挿通し支持する滑車支持体と、
滑車本体に向けて引き寄せる側の索に取り付けた当接部材と、
滑車支持体の索運行方向の両側に設けた、接近する当接部材と当接し、索の引き寄せに応じて当接部材と移動し、この移動により滑車軸支持体に挿通された一対の支持軸の一方を滑車軸支持体から抜き出し挿通を解除する支持軸解除体と
を備え、
一方の支持軸を滑車軸支持体から抜き出し滑車本体を他方の支持軸により滑車支持体に対し揺動自在とすることにより、回転滑車から索を離脱させる、
ことを特徴とする案内滑車。
【請求項２】
支持軸解除体が、
滑車支持体に、一対の支持軸と平行に支持軸に対し回転滑車の半径方向外方に位置し摺動自在に貫通させ配設した一対の摺動軸を備え、
一対の摺動軸の一方が、滑車支持体の索運行方向の一側に所定の長さ突出し先端部に当接部材と当接する被当接部材を備え、他端が一対の支持軸の一方の軸端に一体的に連結し、
一対の摺動軸の他方が、滑車支持体の索運行方向の他側に所定の長さ突出し先端部に当接部材と当接する被当接部材を備え、他端が一対の支持軸の他方の軸端に一体的に連結している、
ことを特徴とする請求項１記載の案内滑車。
【請求項３】
摺動軸と支持軸が連結部材により一体的に連結され、
連結部材が滑車支持体と当接することにより摺動軸の突出長さが規定される、
ことを特徴とする請求項２記載の案内滑車。
【請求項４】
摺動軸を、被当接部材を備えた端側に向け滑車支持体の側から弾性的に付勢する付勢手段を備えている、
ことを特徴とする請求項２または３記載の案内滑車。
【請求項５】
付勢手段が、摺動軸に被嵌された圧縮コイルばねを備えている、
ことを特徴とする請求項４記載の案内滑車。
【請求項６】
被当接部材が、索を跨ぐＵ字断面溝を備えている、
ことを特徴とする請求項２記載の案内滑車。
【請求項７】
当接部材が、索の端に取り付けられたフックに一体的に形成されている、
ことを特徴とする請求項１から６までのいずれかに記載の案内滑車。
【発明の詳細な説明】
【技術分野】
【０００１】
本発明はワイヤのような索の運行を案内する案内滑車、さらに詳しくは索の掛け外しが容易な案内滑車に関する。
【背景技術】
【０００２】
林業における典型的な集材作業においては、集材する木材に鋼索であるワイヤを掛け、集材作業車あるいは集材機のウインチによってワイヤを巻き取り、集材場所に木材を引き寄せることにより遂行される。木材を引き寄せるワイヤは、集材の距離、地形の凹凸、障害物の有無などに応じて、円滑に運行されるように、適宜に配設した案内滑車により、方向が変えられ引き回される（例えば、特許文献１参照）。
【０００３】
ワイヤの運行形態の典型例を示した図８および案内滑車を示した図９を参照してさらに説明する。図８においては案内滑車Ｇが２個、位置Ｘおよび位置Ｙに、立ち木Ｔ、Ｔそれぞれに取り付けられ配設されている。
【０００４】
集材する木材Ｍに縛り掛けられたワイヤは、ウインチから位置Ｙ、位置Ｘの案内滑車Ｇを通して延びたワイヤＷの先端のフックＦに掛けられ、ワイヤＷをウインチによって巻き取ることにより、木材Ｍは先ず位置Ｘの案内滑車Ｇに向けて引き寄せられる。
【０００５】
図９に示す典型的な案内滑車３０は、回転滑車３０ａが、滑車軸３０ｂを介して一対の側板３０ｃ、３０ｃの間に回転自在に取り付けられ、側板３０ｃ、３０ｃには回転滑車３０ａを跨いでＵ字フック３０ｄの端がそれぞれに着脱自在な連結ピン３０ｅ、３０ｅによって取り付けられている。このＵ字フック３０ｄが前記立木Ｔにワイヤによって取り付けられる。Ｕ字フック３０ｄはまたワイヤＷが案内滑車３０から離脱するのを防止している。
【特許文献１】特開２００４−９９２２５号公報（第７図）
【発明の開示】
【発明が解決しようとする課題】
【０００６】
しかしながら、上述したとおりの形態の従来の案内滑車には次のとおりの解決すべき問題がある。
【０００７】
すなわち、ウインチによりワイヤＷを巻き上げワイヤＷの掛けられた木材Ｍを集材場所に引き寄せる場合、作業者は、木材Ｍが最初の案内滑車３０の位置Ｘに到達するとウインチによるワイヤＷの巻き上げを停止し、案内滑車３０からワイヤＷを外し、フックＦおよび木材Ｍが位置Ｘを通過できるようにする。
【０００８】
案内滑車３０からワイヤＷを外すには、作業者が案内滑車３０の設置場所に行き、案内滑車３０のＵ字フック３０ｄを、連結ピン３０ｅを抜いて側板３０ｃから分離させることにより行なう。次の位置Ｙの案内滑車３０においても同様の作業が行なわれる。
【０００９】
この案内滑車３０からワイヤＷを外す作業は、ウインチによるワイヤＷの巻き上げを止め木材Ｍの引き寄せを一次中断させるので、また作業者にとっては山中などの足場の悪い所での作業になるので、さらに木材Ｍが斜面、坂道などにある場合にはワイヤＷにより案内滑車３０に引っ張る力が働くので、そしてワイヤＷは重いので、案内滑車３０からのワイヤＷの取り外しには多くの時間がかかり、また作業者には十分な安全確保が要求され、集材作業を行なう上での大きな障害になっている。
【００１０】
本発明は上記事実に鑑みてなされたもので、その技術的課題は、案内滑車により引き回される索の、所定位置が案内滑車に引き寄せられ接近すると、案内滑車から索が自動的に外れる、案内滑車を提供することである。
【課題を解決するための手段】
【００１１】
本発明によれば上記技術的課題を解決する索の運行を案内する案内滑車として、回転滑車を支持する滑車軸の両端部それぞれに滑車軸支持体を取り付けた滑車本体と、この滑車本体を、平行に延びる一対の支持軸それぞれを滑車軸支持体各々とともに挿脱自在に挿通し支持する滑車支持体と、滑車本体に向けて引き寄せる側の索に取り付けた当接部材と、滑車支持体の索運行方向の両側に設けた、接近する当接部材と当接し、索の引き寄せに応じて当接部材と移動し、この移動により滑車軸支持体に挿通された一対の支持軸の一方を滑車軸支持体から抜き出し挿通を解除する支持軸解除体とを備え、一方の支持軸を滑車軸支持体から抜き出し滑車本体を他方の支持軸により滑車支持体に対し揺動自在とすることにより、回転滑車から索を離脱させる、ことを特徴とする案内滑車が提供される。
【００１２】
好適には、支持軸解除体が、滑車支持体に、一対の支持軸と平行に支持軸に対し回転滑車の半径方向外方に位置し摺動自在に貫通させ配設した一対の摺動軸を備え、一対の摺動軸の一方が、滑車支持体の索運行方向の一側に所定の長さ突出し先端部に当接部材と当接する被当接部材を備え、他端が一対の支持軸の一方の軸端に一体的に連結し、一対の摺動軸の他方が、滑車支持体の索運行方向の他側に所定の長さ突出し先端部に当接部材と当接する被当接部材を備え、他端が一対の支持軸の他方の軸端に一体的に連結している。そして摺動軸と支持軸とは連結部材により一体的に連結され、連結部材が滑車支持体と当接することにより摺動軸の突出長さが規定される。
【００１３】
また、摺動軸を、被当接部材を備えた端側に向け滑車支持体の側から弾性的に付勢する付勢手段を備え、付勢手段は、摺動軸に被嵌された圧縮コイルばねを備えている。
【００１４】
さらに、被当接部材は、索を跨ぐＵ字断面溝を備えている。当接部材は、索の端に取り付けられたフックに一体的に形成されている。
【発明の効果】
【００１５】
本発明に従って構成された案内滑車によれば、滑車本体と、滑車本体を一対の支持軸により支持する滑車支持体と、索に取り付けた当接部材と、索の引き寄せに応じ当接部材と当接し移動し一対の支持軸の一方を滑車軸支持体から抜き出す支持軸解除体を備えている。したがって、索の所定位置を規定する当接部材が案内滑車に引き寄せられ当接すると、一方の支持軸が滑車軸支持体から抜き出され他方の支持軸により滑車本体が滑車支持体に対し揺動自在になり、案内滑車から索が自動的に外される。
【発明を実施するための最良の形態】
【００１６】
以下、本発明に従って構成された案内滑車について、好適実施形態を図示している添付図面を参照して、さらに詳細に説明する。
【００１７】
全体を番号２で示す案内滑車の側面図である図１および正面図である図２を参照して説明する。案内滑車２は、索としての鋼索であるワイヤＷが掛けられる滑車本体４と、滑車本体４を一対の支持軸６ａ、６ｂにより支持する滑車支持体８と、矢印Ｚで示すワイヤ運行方向において滑車本体４に向けて引き寄せる側のワイヤＷに取り付けられた当接部材１０と、接近する当接部材１０と当接し、ワイヤＷの引き寄せに応じて当接部材１０とともに移動し、この移動により滑車軸支持体４に挿通された一対の支持軸６ａ、６ｂの一方の支持軸６ａを滑車軸支持体８から抜き出し挿通を解除する支持軸解除体１２を備えている。
【００１８】
支持軸解除体１２は、ワイヤ運行方Ｚにおいて滑車支持体８の両側に設置され、ワイヤＷの運行方向が逆の場合においても機能するよう構成されている。逆の場合には、逆がわのワイヤＷに当接部材１０が取り付けられ、支持軸６ａ、６ｂの他方の支持軸６ｂを滑車軸支持体８から抜き出し挿通を解除する。
【００１９】
図１および図２とともに後で述べる案内滑車２の作動説明図である図７を参照して説明する。滑車本体４は、回転滑車４ａと、回転滑車４ａをころがり軸受を介し支持する滑車軸４ｂと、滑車軸４ｂの両端部に取り付けられた滑車軸支持体４ｃ、４ｄを備えている。
【００２０】
滑車軸４ｂは、一端にフランジを設けたボルト状に形成され、滑車支持体４ｃ、回転滑車４ａ、滑車支持体４ｄを挿通して、先端に取り付けたナット４ｅによりこれらを取り付けている。
【００２１】
滑車支持体４ｃ、４ｄは実質的に同じものである。滑車支持体４ｃ（４ｄ）は、滑車軸４ｂが挿通される矩形状の支持板４ｆと、支持板４ｆの滑車軸４ｂの設置位置から半径方向外方の位置に一体的に取り付けられた直方体状の支持ブロック４ｇを備えている。支持ブロック４ｇには、ワイヤ運行方向Ｚに延び支持軸６ａ（６ｂ）が挿通される貫通孔７ａ（７ｂ）が形成されている。
【００２２】
滑車支持体８は、回転滑車４ａの周縁の一部を跨ぐ溝部８ａ（図７）を有した直方体状の支持体本体８ｂと、支持体本体８ｂの溝部８ａの裏側外面に一体的に取り付けられた、取付孔８ｃを有する取付板８ｄを備えている。この取付板８ｄは案内滑車２をワイヤ、シャックルなどを用いて立ち木などに取り付けるときに用いられる。
【００２３】
図１および図２とともに図３および図４を参照して説明を続ける。支持体本体８ｂの溝部８ａの両側の側部８ｅ、８ｆそれぞれには、滑車支持体４ｃ、４ｄそれぞれの支持ブロック４ｇを受け入れる凹部８ｇが形成されている。側部８ｅ、８ｆそれぞれには凹部８ｇに受け入れた支持ブロック４ｇの貫通孔７ａ（７ｂ）と同一中心線上に形成された貫通孔９ａ（９ｂ）が備えられている。
【００２４】
一対の、貫通孔７ａを含む貫通孔９ａと貫通孔７ｂを含む貫通孔９ｂとは実質上平行に配設され、それぞれに前記の一対の支持軸６ａ、６ｂが挿通され滑車支持体８に滑車本体４が支持される。
【００２５】
主として図１を参照して説明すると、当接部材１０はワイヤＷの端部に取り付けられた、被牽引物を掛けるための周知のフック１４の案内滑車８側に一体的に円板状に形成されて取り付けられている。
【００２６】
次に支持軸解除体１２について図１〜図５を参照して説明する。支持軸解除体１２は、滑車支持体８に、一対の支持軸６ａ、６ｂそれぞれと平行に、摺動自在に貫通させて配設した一対の摺動軸１６ａ、１６ｂを、支持軸６ａ、６ｂに対し回転滑車４ａの半径方向外方に備えている。
【００２７】
一対の摺動軸１６ａ、１６ｂの一方の摺動軸１６ａは、滑車支持体８のワイヤ運行方向Ｚの一側、ワイヤＺが近付く側（図１、図３の右側）に滑車支持体８から所定の長さＬ突出して先端部に当接部材１０と当接する被当接部材１８を備え、他端（図３の左側端）は一対の支持軸６ａ、６ｂの一方の支持軸６ａの軸端に連結板２０により一体的に連結されている。
【００２８】
摺動軸１６ｂは、滑車支持体８のワイヤ運行方向Ｚの他側、ワイヤＺが離れる側（図１、図４の左側）に所定の長さＬ突出して先端部に被当接部材１８を備え、他端（図４の右側端）は他方の支持軸６ｂの軸端に連結板２０により一体的に連結されている。
【００２９】
連結板２０は、主として図５を参照して説明すると、摺動軸１６ａ（１６ｂ）および支持軸６ａ（６ｂ）それぞれの端が接合された帯状の連結部２０ａと、他方の摺動軸１６ｂ（１６ａ）および支持軸６ｂ（６ａ）が配設された位置において摺動軸１６ｂ（１６ａ）の挿通孔２０ｂを有した連結部２０ａと実質的に同一大きさの連結部２０ｃと、連結部２０ａと連結部２０ｃを摺動軸の側でつなぐ接続部２０ｄを備えている。
【００３０】
連結板２０は、滑車支持体８の端面と当接することにより当接板２０に連結した摺動軸１６ａ（１６ｂ）の突出長さＬを規定している。
【００３１】
被当接部材１８は板材によりワイヤＷを跨ぐＵ字断面溝１８ａ（図２）を備えて形成され摺動軸１６ａ、１６ｂの端部に一体的に接合されている。
【００３２】
摺動軸１６ａ、１６ｂの長さＬ突出部分には、被当接部材１８と連結板２０の間に、摺動軸摺動軸１６ａ、１６ｂそれぞれを被当接部材１８に向けて付勢する付勢手段としての摺動軸１６ａ、１６ｂそれぞれに被嵌された圧縮コイルばね２２備えている。
【００３３】
図６〜図８を参照して上述した案内滑車２の作動について説明する。
【００３４】
先ず集材作業におけるワイヤ運行形態の典型例を示した図８を参照して説明する。案内滑車Ｇとしての案内滑車２が２個所、位置Ｘおよび位置Ｙにそれぞれ立ち木Ｔ、Ｔに取り付けられ設置されている。集材する木材Ｍに縛り掛けられたワイヤがウインチから位置Ｙ、位置Ｘの案内滑車２を通して延びたワイヤＷの先端のフックＦに掛けられ、ウインチによってワイヤＷを巻き取ることにより、木材Ｍは先ず位置Ｘに向けて引き寄せられる。
【００３５】
案内滑車２の作動を説明した図６および図７を参照して説明する。図６はワイヤ運行方向Ｚの一側（図６の右側）からワイヤＷが引き寄せられた状態を示している。
【００３６】
図６に示すように、ワイヤＷが運行方向Ｚに引き寄せられフック１４に取り付けた当接部材１０が支持軸解除体１２の被当接部材１８に当接し、ワイヤＷの運行方向Ｚへの引き寄せに応じて、摺動軸１６ａが圧縮コイルばね２２の付勢力に抗して当接部材１０により滑車支持体８の側に押し込まれると、摺動軸１６ａに連結した支持軸６ａは滑車軸支持体４ｃの支持ブロック４ｇから抜き出される。
【００３７】
かくすることにより、図７に示すように、滑車本体４は他方の支持軸６ｂのみによって滑車支持体８に揺動自在に支持され、矢印Ｒ１で示す方向に外れ、ワイヤＷは回転滑車４ａから自動的に外れる。
【００３８】
ワイヤＷの運行方向Ｚが逆方向の場合には、他方の摺動軸１６ｂが他方の側のワイヤＷに取り付けた当接部材２０によって全く同様に作動される。
【００３９】
外れた状態のワイヤＷを案内滑車２に掛けるには、案内滑車２の滑車本体４を一対の支持軸６ａ、６ｂの一方で支持した状態において（図７）、ワイヤＷを回転滑車４ａの外周の溝に掛けるとともに支持軸解除対１２の支持軸６ａ、６ｂの他方とつながっている被当接部材１８を手で滑車支持体８の方向に付勢手段２２に抗して押し込み、滑車本体４を矢印Ｒ２方向に動かし、支持ブロック４ｇを滑車支持体８の凹部８ｇに入れ、貫通孔９ａ、７ａの芯を合わせ、手を離し、付勢手段２２の力によって貫通孔９ａの摺動軸６ａを貫通孔７ａに挿通させる（図３）。
【００４０】
上述したとおりの案内滑車２の作用・効果について説明する。
【００４１】
案内滑車２によれば、案内滑車２により引き回されるワイヤＷの所定位置を規定する当接部材１０が案内滑車２に引き寄せられ接近すると、一方の支持軸６ａ（６ｂ）が滑車軸支持体８から抜き出され滑車本体４が他方の支持軸６ｂ（６ａ）により滑車支持体８に対し揺動自在になり、案内滑車４ａからワイヤＷが自動的に外れる。
【００４２】
したがって、案内滑車２からワイヤＷを外す作業は、ウインチによるワイヤＷの巻き上げを止め木材Ｍの引き寄せを一次中断することなく、作業者は山中など足場の悪い所で案内滑車２にアクセスすることなく、また木材Ｍが斜面、坂道などにありワイヤＷにより案内滑車２に引っ張る力が働いても、案内滑車２からワイヤＷをワイヤの運行に合わせて自動的に外すことができる。そして作業者は十分に安全なところで、容易に集材作業を行なえる。
【００４３】
支持軸解除体１２が、摺動軸１６ａ（１６ｂ）と支持軸６ａ（６ｂ）とを一体にして備えているので、確実に支持軸を解除でき、また堅牢である。
【００４４】
摺動軸１６ａ（１６ｂ）を被当接部材１８を備えた端側に向けて弾性的に付勢する付勢手段としての圧縮コイルばね２２を備え、摺動軸１６ａ（１６ｂ）と支持軸６ａ（６ｂ）を連結する連結板２０を滑車支持体８と当接させることにより、摺動軸１６ａ（１６ｂ）の突出長さＬおよび支持軸６ａ（６ｂ）の滑車本体４の支持ブロック４ｇへの挿通長さが確実に規定され、維持される。
【００４５】
被当接部材１８がワイヤＷを跨いだＵ字断面溝１８ａを備え、ワイヤＺの周囲に位置しているので、ワイヤＷに取り付けた当接部材１０と確実に当接する。
【００４６】
当接部材１０をワイヤＷの端に取り付けられたフック１４に一体的に形成することにより当接部材１０を容易に設けることができる。
【００４７】
そして、外れた状態のワイヤＷを案内滑車２に掛けるのも容易である。
【００４８】
以上、本発明を実施例に基づいて詳細に説明したが、本発明は上記の実施例に限定されるものではなく、例えば下記のように、本発明の範囲内においてさまざまな変形あるいは修正ができるものである。
【００４９】
本実施例においては、案内滑車２に掛けられる索として鋼索であるワイヤＺが用いられているが、索としてはワイヤＺに限定されるものではなく、例えば織糸綱のような索でもよい。
【００５０】
本実施例においては、当接部材１０は円板状に形成され、被当接部材１８はＵ字断面溝を備えた形状に形成されているが、その形状および大きさは、索の運行状態、牽引物の牽引作業形態などに応じて、確実に当接するように適宜に変えればよい。
【００５１】
本実施例においては、当接部材１０はフック１４に一体的に形成されているが、例えばワイヤＺの外周部にクリップなどによって取り付けてもよい。
【図面の簡単な説明】
【００５２】
【図１】本発明に従って構成された案内滑車の側面図。
【図２】図１の案内滑車をＡ−Ａ矢印方向に見た正面図。
【図３】図２の案内滑車をＢ−Ｂ矢印方向に見た部分拡大断面図。
【図４】図２の案内滑車をＣ−Ｃ矢印方向に見た部分拡大断面図。
【図５】図３の矢印Ｄ方向に見た連結部材の正面図。
【図６】図１に示す案内滑車の作動説明図。
【図７】図１に示す案内滑車の作動説明図
【図８】案内滑車を用いた集材作業におけるワイヤ運行形態の典型例を示した説明図。
【図９】従来の案内滑車の（ａ）側面図および（ｂ）正面図。
【符号の説明】
【００５３】
２：案内滑車
４：滑車本体
４ａ：回転滑車
４ｂ：滑車軸
４ｃ：滑車軸支持体
４ｄ：滑車軸支持体
６ａ：支持軸
６ｂ：支持軸
８：滑車支持体
１０：当接部材
１２：支持軸解除体
２２：圧縮コイルばね（付勢手段）
Ｗ：ワイヤ（索）
Ｚ：ワイヤ運行方向
【図１】
2007031126.tif 000003
【図２】
2007031126.tif 000004
【図３】
2007031126.tif 000005
【図４】
2007031126.tif 000006
【図５】
2007031126.tif 000007
【図６】
2007031126.tif 000008
【図７】
2007031126.tif 000009
【図８】
2007031126.tif 000010
【図９】
2007031126.tif 000011